(57)【要約】  【課題】  原稿載置トレイに一度に載置し、連続して搬送できる原稿の枚数を増やし、かつ安定して原稿を搬送できる原稿搬送装置を得る。  【解決手段】  原稿搬送装置２０の原稿載置トレイ２１に突出した区分手段２２を設け、供給部２１ａと待機部２１ｂとに区分する。供給部２１ａおよび待機部２１ｂに原稿を載置し、供給部２１ａに載置した原稿が原稿搬送部２４によって全て搬送されると、区分手段２２が原稿載置トレイ２１の上面より下方に収納され、待機原稿移動手段２３が待機部２１ｂに載置された原稿を供給部２１ａに移動させる。その後、区分手段２２は原稿載置トレイ２１上に突出し、供給部２１ａに移動した原稿は、引き続き原稿搬送部２４によって搬送される。【選択図】      図１
2006245948.tif 000002
【特許請求の範囲】
【請求項１】
原稿載置トレイに載置された原稿を原稿読み取り部に向けて送り出す原稿搬送装置において、
前記原稿載置トレイの上面に突出し、前記原稿載置トレイを原稿搬送方向下流側の供給部と上流側の待機部とに区分する区分手段と、
前記原稿載置トレイの上面に突出し、前記待機部に載置された原稿の原稿搬送方向上流側の端部を押して前記供給部に移動させる待機原稿移動手段とを備え、
前記供給部に載置された全ての原稿を送り出した後、前記区分部材を前記原稿載置トレイの上面よりも下方に収納するとともに、前記待機原稿移動手段によって前記待機部に載置された原稿を前記供給部に移動させることを特徴とする原稿搬送装置。
【請求項２】
前記原稿載置トレイの前記供給部の原稿搬送方向上流側に原稿搬送方向に並べられた複数の待機部と、その各々に設けられた待機原稿移動手段とを備え、
前記供給部に載置された全ての原稿を送り出した後、前記区分部材を前記原稿載置トレイの上面よりも下方に収納するとともに、前記待機原稿移動手段によってそれぞれに対応した前記待機部に載置された原稿を前記供給部または隣接する原稿搬送方向下流側の前記待機部に移動させ、その後前記待機原稿移動手段が前記原稿載置トレイの上面よりも下方を経由して元の位置に戻ることを特徴とする請求項１に記載の原稿搬送装置。
【請求項３】
前記原稿載置トレイの上面から突出した状態の前記待機原稿移動手段は、原稿を移動させた後、前記原稿載置トレイの上面よりも下方に収納され、続いて原稿を移動する前の元の位置の下方に移動し、その後前記原稿載置トレイの上面に突出することにより、元の位置に戻ることを特徴とする請求項２に記載の原稿搬送装置。
【請求項４】
前記区分部材および前記待機原稿移動手段のうち、少なくとも前記区分部材は、制御ボタンの操作によって収納または突出させることが可能であることを特徴とする請求項１〜４のいずれかに記載の原稿搬送装置。
【請求項５】
請求項１〜４のいずれかに記載の原稿搬送装置と、画像が形成された用紙を積載する用紙排出トレイとを備えた画像形成装置において、
前記待機原稿移動手段によって前記待機部から前記供給部に原稿を移動させる毎に、前記用紙排出トレイに排出される用紙の位置を用紙搬送方向に対して左右にずらすことを特徴とする画像形成装置。
【請求項６】
前記用紙排出トレイに用紙を排出する用紙排出ローラが、用紙搬送方向に対して左右に移動することによって、前記用紙排出トレイに排出される用紙の位置を用紙搬送方向に対して左右にずらすことを特徴とする請求項５に記載の画像形成装置。
【発明の詳細な説明】
【技術分野】
【０００１】
本発明は、原稿載置トレイに載置された原稿を原稿読み取り部に向けて送り出す原稿搬送装置およびこれを備えた複写機やファクシミリなどの画像形成装置に関する。
【背景技術】
【０００２】
複写機やスキャナ装置などの原稿の画像を読み取る機能を有する装置において、例えば特許文献１で提案された自動シート原稿給送装置のように、原稿載置トレイの上に載置した複数の原稿を自動的に搬送する原稿搬送装置を備えるものが一般的に用いられている。
【０００３】
特許文献１の自動シート給送装置では、原稿積載トレイ（原稿載置トレイ）に載置された原稿は、半月ローラとウエイトによって分離手段方向へ給送され、一枚ずつに分離され、画像が読み取られた後、原稿排出トレイに排出される。
【特許文献１】特開平５−３２３７２６号公報（第２頁、第３頁、図１）
【発明の開示】
【発明が解決しようとする課題】
【０００４】
しかし、特許文献１で提案された自動シート原稿給送装置ではウエイトと半月ローラとの間隔によって、載置できる原稿の枚数が限られており、原稿の量が多い場合には数回に分けて読み取らなければならなかった。ウエイトと半月ローラとの間隔を広げれば載置できる原稿の枚数は増やせるが、原稿に加えられる圧力が低下するため、原稿の先端のさばきがうまく行われず、分離手段で一枚ずつ分離できない枚数の原稿が一度にフィードローラ方向へ搬送され、原稿が詰まる原因となる。
【０００５】
そこで、本発明では多量の原稿を連続して、かつ安定して搬送することが可能である原稿搬送装置を提供することを目的とする。
【課題を解決するための手段】
【０００６】
（１）上記目的を達成するため、本発明は、原稿載置トレイに載置された原稿を原稿読み取り部に向けて送り出す原稿搬送装置において、前記原稿載置トレイの上面に突出し、前記原稿載置トレイを原稿搬送方向下流側の供給部と上流側の待機部とに区分する区分手段と、前記原稿載置トレイの上面に突出し、前記待機部に載置された原稿の原稿搬送方向上流側の端部を押して前記供給部に移動させる待機原稿移動手段とを備え、前記供給部に載置された全ての原稿を送り出した後、前記区分部材を前記原稿載置トレイの上面よりも下方に収納するとともに、前記待機原稿移動手段によって前記待機部に載置された原稿を前記供給部に移動させることを特徴とする。
【０００７】
（２）また本発明は、上記構成の原稿搬送装置において、前記原稿載置トレイの前記供給部の原稿搬送方向上流側に原稿搬送方向に並べられた複数の待機部と、その各々に設けられた待機原稿移動手段とを備え、前記供給部に載置された全ての原稿を送り出した後、前記区分部材を前記原稿載置トレイの上面よりも下方に収納するとともに、前記待機原稿移動手段によってそれぞれに対応した前記待機部に載置された原稿を前記供給部または隣接する原稿搬送方向下流側の前記待機部に移動させ、その後前記待機原稿移動手段が前記原稿載置トレイの上面よりも下方を経由して元の位置に戻ることを特徴とする。
【０００８】
（３）また本発明は、上記構成の原稿搬送装置において、前記原稿載置トレイの上面から突出した状態の前記待機原稿移動手段は、原稿を移動させた後、前記原稿載置トレイの上面よりも下方に収納され、続いて原稿を移動する前の元の位置の下方に移動し、その後前記原稿載置トレイの上面に突出することにより、元の位置に戻ることを特徴とする。
【０００９】
（４）また本発明は、上記構成の原稿搬送装置において、前記区分部材および前記待機原稿移動手段のうち、少なくとも前記区分部材は、制御ボタンの操作によって収納または突出させることが可能であることを特徴とする。
【００１０】
（５）また本発明は、上記構成の原稿搬送装置と、画像が形成された用紙を積載する用紙排出トレイとを備えた画像形成装置において、前記待機原稿移動手段によって前記待機部から前記供給部に原稿を移動させる毎に、前記用紙排出トレイに排出される用紙の位置を用紙搬送方向に対して左右にずらすことを特徴とする。
【００１１】
（６）また本発明は、上記構成の画像形成装置において、前記用紙排出トレイに用紙を排出する用紙排出ローラが、用紙搬送方向に対して左右に移動することによって、前記用紙排出トレイに排出される用紙の位置を用紙搬送方向に対して左右にずらすことを特徴とする。
【発明の効果】
【００１２】
（１）本発明によると、原稿載置トレイの供給部と待機部とに原稿を載置し、待機部の原稿を自動的に供給部に移動させることによって、供給部および待機部に載置する原稿の枚数を安定して搬送することができる枚数に留めつつ、これらの原稿を連続して搬送することができる。つまり、通常の枚数の２倍の枚数の原稿を一度に載置し連続して、かつ安定して搬送することができる。また、待機部の原稿が供給部に移動する毎に、使用者が空いた待機部に原稿を載置することによって大量の原稿を連続して搬送することができる。
【００１３】
（２）また本発明によると、原稿載置トレイに複数の待機部を設け、各待機部に載置された原稿を供給部または隣接する待機部に移動させることができるため、待機部の数に応じた枚数の原稿を一度に原稿載置トレイ上に載置し、連続して搬送することができる。
【００１４】
（３）また本発明によると、原稿を移動させた待機原稿移動手段が、原稿載置トレイの上面よりも下方に移動し、元の位置の下方に移動し、原稿載置トレイに突出して元の位置に戻ることによって、待機原稿移動手段が移動させた原稿にぶつかることなく確実に元の位置に戻ることができるため、待機部に載置された原稿を次々と原稿搬送方向下流側へ移動させる動作を繰り返すことができる。
【００１５】
（４）また本発明によると、区分部材および待機原稿移動手段のうち、少なくとも区分部材は制御ボタンの操作によって収納または突出させることが可能であるため、原稿載置トレイには、区分部材や待機原稿移動手段を収納した場合には、供給部または待機部のサイズに関係なく大きいサイズの原稿を載置することができ、突出させた場合には供給部および待機部に対応したサイズの多量の原稿を載置し、連続して搬送することができる。
【００１６】
（５）また本発明によると、待機原稿移動手段が待機部から供給部に原稿を移動させる動作をする毎に、画像が形成された用紙が用紙排出トレイに排出される位置を用紙搬送方向に対して左右にずらすため、別々の供給部または待機部に載置された原稿毎に、画像が形成された用紙を容易に区別することができる。
【００１７】
（６）また本発明によると、待機原稿移動手段が待機部から供給部に原稿を移動させる動作をする毎に、用紙排出トレイに用紙を排出する用紙排出ローラが、用紙搬送方向に対して左右に移動するため、別途原稿を左右にずらすための、用紙後処理装置などの移動装置を設ける必要がない。
【発明を実施するための最良の形態】
【００１８】
本発明の第１の実施形態を図１〜図３を用いて説明する。図１は第１の実施形態に係る画像形成装置の一例である複写機の概略構成図、図２は第１の実施形態に係る原稿搬送装置の平面図、図３は第１の実施形態の別の実施態様に係る原稿載置トレイの概略構成図である。
【００１９】
まず複写機１０の各部の構成と動作について説明する。複写機１０は、本体１１と、本体１１の上方に載置された原稿搬送装置２０とからなる。本体１１の上部には、画像形成動作や画像読み取り動作、原稿搬送動作など複写機１０全体の動作を制御する制御装置１３が設けられている。また、本体１１の中央部には排紙トレイ８４が設けられている。
【００２０】
原稿搬送装置２０は、本体１１に図１の紙面奥側を支点として開閉自在に取り付けられている。原稿搬送装置２０は、原稿載置トレイ２１と、原稿搬送部２４と、原稿排出トレイ２７と、原稿カバー２８とを備える。原稿排出トレイ２７は、原稿カバー２８上面の一部として一体に形成されている。原稿載置トレイ２１は原稿搬送路２５の上流端に設けられ、原稿排出トレイ２７は原稿搬送路２５の下流端に設けられている。
【００２１】
原稿搬送部２４には、原稿搬送路２５に沿って原稿搬送方向上流側から順に、原稿の有無を検知する原稿検知センサ２４ａ、前送りローラ２４ｂ、給紙ローラ２４ｃ、分離ローラ２４ｄ、搬送ローラ２４ｅ、搬送コロ２４ｆ、読み取りガイド２４ｇ、搬送コロ２４ｈおよび排出ローラ対２４ｉが設けられている。また、原稿搬送装置２０によって搬送される原稿を読み取る原稿読み取り部１２ａが本体１１の上面の透明ガラス製のプラテン１２の上面の読み取りガイド２４ｇに対向する位置に設定されている。
【００２２】
前送りローラ２４ｂは、図示しないソレノイドなどの駆動手段によって上下に移動可能に設けられており、原稿検知センサ２４ａが原稿を検知していないときには上方に移動して、原稿載置トレイ２１に原稿を載置する際に、原稿を受け入れやすくする。また、原稿検知センサ２４ａが原稿を検知している時には下方に移動して原稿載置トレイ２１上に載置された原稿Ｃに圧力を加えて原稿搬送路２５へ搬送できるようにする。
【００２３】
給紙ローラ２４ｃおよび分離ローラ２４ｄはともに図１において時計方向に回転する駆動力が与えられている。分離ローラ２４ｄにはトルクリミッタが取り付けられており、原稿Ｃが前送りローラ２４ｂによって１枚だけ搬送された場合は給紙ローラ２４ｃが原稿Ｃを搬送する力に抗しきれず、分離ローラ２４ｄは反時計方向に回転し、原稿Ｃは搬送される。一方、原稿Ｃが複数枚前送りローラ２４ｂによって搬送された場合は、一番上の原稿Ｃは給紙ローラ２４ｃによって搬送されるが、それより下の原稿Ｃは分離ローラ２４ｄによって原稿載置トレイ２１方向に戻される。
【００２４】
原稿を原稿搬送装置２０によって搬送する場合、使用者が操作盤（不図示）に設けられたコピー開始ボタンを押すと原稿載置トレイ２１に載置された原稿Ｃは原稿搬送部２４の各ローラおよびコロによって原稿搬送路２５を搬送され、途中原稿読み取り部１２ａで後述する読み取り装置３０によって原稿に付された画像が読み取られる。
【００２５】
また、原稿をプラテン１２上に載置する場合、用紙に形成したい画像が付された面をプラテン１２側にして、プラテン１２の上面に設定された載置原稿読み取り部１２ｂに原稿を載置し、原稿カバー２８を閉じる。使用者がコピー開始ボタンを押すと原稿カバー２８によって押さえられた原稿（不図示）は、プラテン１２に接する面に付された画像が読み取り装置３０によって読み取られる。
【００２６】
読み取り装置３０は本体１１の上部に配設されており、露光ランプ３１と反射板３２、第１のミラー３３、第２のミラー３４、第３のミラー３５、集光レンズ３６、イメージセンサ（例えばライン型のＣＣＤ）３７を備える。露光ランプ３１と第１のミラー３３はキャリッジ３８上に搭載され、キャリッジ３８は図１において水平に左右方向に移動可能に設けられている。
【００２７】
原稿搬送装置２０によって搬送される原稿Ｃの画像を読み取る場合には、キャリッジ３８が原稿読み取り部１２ａの直下に移動し、露光ランプ３１からの照射光が搬送されている原稿Ｃを露光する。照射光は第１のミラー３３、第２のミラー３４、第３のミラー３５、集光レンズ３６を通じてイメージセンサ３７上に縮小結像され、光電変換処理を経て電気信号となるように読み取られ、この電気信号は制御装置１３に送られる。
【００２８】
一方、プラテン１２上に載置された原稿の画像を読み取る場合には、載置原稿読み取り部１２ｂの下方を図１の右方向に移動するキャリッジ３８上の露光ランプ３１および第１のミラー３３がプラテン１２上の原稿を読み取り走査する。これにより、照射光がイメージセンサ３７上に縮小結像され、シートスルー方式の場合と同様に、光電変換処理を経て電気信号となるように読み取られ、この電気信号は制御装置１３に送られる。
【００２９】
本体１１の下部には、給紙装置５０と、画像形成ユニット６０と、定着装置７０とが備えられている。まず給紙装置５０について説明する。本体１１の最下部には用紙Ｐを収容する給紙カセット５１が配設され、用紙Ｐはここから給紙ローラ５２により１枚ずつ搬送路５５へ送り出され、搬送ローラ対５３およびレジストローラ対５４によって画像形成ユニット６０へ搬送される。
【００３０】
次に画像形成ユニット６０について説明する。画像形成ユニット６０は、感光体ドラム６１と、その周囲に配設された帯電器６２、光走査ユニット６３、現像器６４、転写ローラ６５およびクリーニング器６６とを備える。感光体ドラム６１は図１において時計回りに回転し、まずその表面が帯電器６２により均一に帯電される。次に、読み取り装置３０で読み取られ、制御装置１３へ送られた画像の電気信号に基づいて光走査ユニット６３から感光体ドラム６１の表面にレーザ光が照射され、用紙Ｐに形成される画像の部分又は前記画像以外の部分に相当する電荷が消去され、静電潜像が形成される。そしてこの静電潜像に現像器６４によってトナーが供給され静電潜像がトナー画像として顕像化する。
【００３１】
感光体ドラム６１がさらに回転し、トナー画像が転写ローラ６５と対向する位置に来たときに、それに合わせてレジストローラ対５４によって、感光体ドラム６１と転写ローラ６５との間に用紙Ｐが搬送されてくる。このとき転写ローラ６５に、トナーの帯電極性と逆極性の電圧が印加されることにより、感光体ドラム６１の表面のトナー画像が用紙Ｐ上に転写される。用紙Ｐに転写されず感光体ドラム６１の表面に残ったトナーはクリーニング器６６によって除去される。
【００３２】
一方トナー画像が転写された用紙Ｐは加熱ローラ７１と加圧ローラ７２からなる定着装置７０に搬送され、ここでトナー画像は加熱・加圧されて用紙Ｐに定着する。その後用紙Ｐは排出ローラ対８３によって排紙トレイ８４に排出される。
【００３３】
第１の実施形態において、原稿載置トレイ２１は、図１および図２に示すように、原稿載置トレイ２１上に突出した区分手段２２によって原稿搬送方向下流側の供給部２１ａと、上流側の待機部２１ｂとに区分されており、供給部２１ａ、待機部２１ｂにはそれぞれ原稿を載置することができる。載置できる原稿の枚数は、原稿載置トレイ２１の上面と前送りローラ２４ｂの周面との間隔で制限される。区分手段２２は、図示しないソレノイドなどの駆動手段によって、原稿載置トレイ２１内部に収納可能である。また、待機部２１ｂの原稿搬送方向上流側には待機原稿移動手段２３が設けられている。待機原稿移動手段２３は、下方にナットが設けられており、このナットに通された棒状のボルト２６とこのボルトを回転させるモータ（不図示）によって原稿搬送方向下流側または上流側に向かって、原稿載置トレイ２１の上面に設けられた溝２９に沿って移動可能に設けられている。また、待機部２１ｂには、待機部２１ｂ上の原稿の有無を検知する原稿検知センサ２１ｃが設けられている。
【００３４】
供給部２１ａおよび待機部２１ｂに原稿を載置してコピー開始ボタン（不図示）を押すと、供給部２１ａから原稿搬送部２４によって原稿が搬送される。供給部２１ａに載置された原稿が全て原稿搬送路２５へ送り出されると、区分手段２２がトレイ２１内部に収納される。続いて待機原稿移動手段２３が待機部２１ｂに載置された原稿を、その原稿搬送方向上流側の端部を押して供給部２１ａに移動させる。その後、待機原稿移動手段２３を元の位置に戻しながら区分手段２２を突出させ、供給部２１ａに移動した原稿を原稿搬送部２４によって搬送する。
【００３５】
待機部２１ｂに原稿がない場合、原稿検知センサ２１ｃが原稿を検知しないため、原稿載置トレイ２１上に原稿がないものとして、原稿搬送装置２０は動作を停止する。
【００３６】
また、待機部２１ｂから供給部２１ａに原稿を移動させた後、原稿のなくなった待機部２１ｂに使用者が原稿を載置してもよい。このとき、供給部２１ａから原稿を全て原稿搬送路２５へ送り出すと、区分手段２２および待機原稿移動手段２３が原稿を待機部２１ｂから供給部２１ａに移動させる動作をし、これを繰り返すことによって連続して原稿を搬送することができる。
【００３７】
また、供給部２１ａには原稿を載置せず、待機部２１ｂにのみ原稿を載置してコピー開始ボタンを押した場合、原稿検知センサ２４ａが原稿を検知せず、原稿検知センサ２１ｃが原稿を検知していることを受け、待機原稿移動手段２３が原稿を待機部２１ｂから供給部２１ａに移動させる。続いてその原稿は、原稿検知センサ２４ａがその原稿を検知していることを受け、原稿搬送部２４によって搬送される。原稿が全て搬送され、原稿検知センサ２４ａ、２１ｂおよび２１ｃの全てが原稿を検知しなくなると、原稿搬送装置２０は動作を停止する。
【００３８】
原稿搬送装置２０は、原稿載置トレイ２１の上面と前送りローラ２４ｂの周面との間隔によって、原稿載置トレイ２１上に載置できる原稿の枚数は限られるが、このように構成することにより、この限られた枚数の２倍の枚数の原稿を一度に載置することが可能となり、これらの原稿を連続して原稿搬送部２４によって搬送することができる。また、使用者が原稿を空いた待機部に載置する作業は必要であるが、大量の原稿を連続して搬送することもできる。
【００３９】
第１の実施形態において、排紙ローラ８３にソレノイドなどの駆動手段（不図示）を設けて用紙搬送方向に対して左右に移動可能にし、待機部２１ｂから供給部２１ａに原稿を移動させる動作をするごとに、用紙Ｐの排紙トレイ８４に排出される位置を用紙搬送方向に対して左右いずれかの方向にずらすようにしてもよい。このようにすることによって、供給部２１ａおよび待機部２１ｂのいずれに載置された原稿の画像が形成された用紙かを容易に区別することが可能となる。またこの場合、一連の原稿を分けて原稿載置トレイ２１上に載置したときには用紙Ｐを一連の束として排出できるように、用紙Ｐの排出する位置をずらすかどうかを操作盤で選択できるようにしてもよい。
【００４０】
また、第１の実施形態において、本体１１の操作盤に制御ボタン（不図示）を設け、この制御ボタンによって使用者が区分手段２２を突出または収納することを可能にしてもよい。区分手段２２を突出させた場合は、区分手段２２および待機原稿移動手段２３について前述した動作をさせることで、大量の原稿を連続して搬送することができる。また、区分手段２２を収納した場合、大きいサイズの原稿を載置することができるようになる。
【００４１】
また、第１の実施形態において、ボルト２６の代わりに図３に示すように、モータ（不図示）で回転する無端ベルト２６ａに待機原稿移動手段２３を取り付けて、待機原稿移動手段２３を移動させるようにしてもよい。
【００４２】
次に本発明の第２の実施形態について図４および図５を用いて説明する。図４は第２の実施形態に係る画像形成装置の一例である複写機の概略構成図、図５は第２の実施形態に係る原稿搬送装置の平面図である。第２の実施形態は原稿載置トレイ２１が異なる以外は第１の実施形態と同一であり、実質上同一の部分には同一の符号を付している。
【００４３】
第２の実施形態では、図４および図５に示すように原稿載置トレイ２１には原稿搬送方向下流側の供給部２１ａと、上流側に原稿搬送方向に並べられた２箇所の待機部２１ｂ、２１ｄが設けられており、供給部２１ａと待機部２１ｂとは区分手段２２によって区分されている。待機部２１ｂと待機部２１ｄのそれぞれには原稿検知センサ２１ｃおよび２１ｅならびに原稿搬送方向上流側に待機原稿移動手段２３ａおよび２３ｂが設けられている。待機部２１ｂと待機部２１ｄとは待機原稿移動手段２３ａによって区分されており、供給部２１ａ、待機部２１ｂおよび２１ｄにはそれぞれ原稿を載置することができる。また、待機原稿移動手段２３ａは無端ベルト２６ａ、待機原稿移動手段２３ｂは無端ベルト２６ｂに取り付けられており、それぞれ回転する無端ベルト２６ａおよび２６ｂとともに移動する。
【００４４】
供給部２１ａ、待機部２１ｂおよび２１ｄのそれぞれに原稿を載置して、コピー開始ボタン（不図示）を押すと、供給部２１ａに載置された原稿Ｃが原稿搬送部２４によって原稿搬送路２５に送り出される。供給部２１ａから原稿Ｃが全て原稿搬送路２５に送り出されると、原稿検知センサ２１ｃおよび２１ｅは原稿Ｃを検知しているが、原稿検知センサ２４ａは原稿を検知しなくなる。これを受け、区分手段２２が内部に収納され、待機部２１ｂおよび２１ｄそれぞれに設けられた待機原稿移動手段２３ａおよび２３ｂが、それぞれ無端ベルト２６ａおよび２６ｂの回転によって、載置トレイ２１の上面に設けられた溝２９に沿って原稿搬送方向下流側へ移動し、待機部２１ｂおよび２１ｄに載置された原稿Ｃをそれぞれ隣接する供給部２１ａおよび待機部２１ｂに移動させる。次に回転し続ける無端ベルト２６ａおよび２６ｂの回転に伴って待機原稿移動手段２３ａは、原稿載置トレイ２１の上面に設けられた孔２９ａから、待機原稿移動手段２３ｂは孔２９ｂから原稿載置トレイ２１内部に移動する。さらに無端ベルト２６ａおよび２６ｂが同じ方向に回転すると、待機原稿移動手段２３ａおよび２３ｂは原稿搬送方向上流側へ移動し、待機原稿移動手段２３ａは孔２９ｂから、待機原稿移動手段２３ｂは孔２９ｃから原稿載置トレイ２１上に突出して元の位置に戻り、無端ベルト２６ａおよび２６ｂは停止する。これにより、待機原稿移動手段２３は待機部２１ｂに移動した原稿に触れることなく元の位置に戻ることができる。
【００４５】
続いて待機部２１ｂから供給部２１ａに移動した原稿Ｃも、原稿搬送部２４によって全て原稿搬送路２５に送り出されると、３個の原稿検知センサのうち、原稿検知センサ２１ｃだけが原稿Ｃを検知している状態となる。これを受け、区分手段２２、待機原稿移動手段２３ａが前述した動作をして、待機部２１ｄから待機部２１ｂに移動した原稿を供給部２１ａに移動させ、原稿搬送部２４によって搬送する。その後、この原稿Ｃを全て原稿搬送路２５に送り出すと、原稿検知センサ２４ａ、２１ｃおよび２１ｅが原稿を検知しなくなるため、原稿載置トレイ２１上に原稿がないものとして、原稿搬送装置２０は動作を停止する。
【００４６】
また、待機部２１ｂから供給部２１ａに原稿を移動させた後、原稿のなくなった待機部２１ｂおよび／または２１ｄに使用者が原稿を載置してもよい。このとき、供給部２１ａから原稿を全て原稿搬送路２５へ送り出す毎に、原稿検知センサ２４ａ、２１ｃおよび２１ｅの検知結果に基づき、区分手段２２と、待機原稿移動手段２３ａおよび／または２３ｂが同様の動作をして待機部２１ｂおよび／または２１ｄに載置された原稿を移動させ、原稿搬送装置２０は連続して原稿を搬送する。
【００４７】
また、供給部２１ａには原稿を載置せず、待機部２１ｂおよび／または待機部２１ｄにのみ原稿を載置してコピー開始ボタンを押した場合、原稿検知センサ２４ａが原稿を検知せず、原稿検知センサ２１ｃおよび／または２１ｅが原稿を検知していることを受け、待機原稿移動手段２３ａおよび／または２３ｂが原稿を順次供給部２１ａに移動させ、その原稿は原稿搬送部２４によって搬送される。
【００４８】
第２の実施形態において、排紙ローラ８３にソレノイドなどの駆動手段（不図示）を設けて用紙搬送方向に対して左右に移動可能にし、待機部２１ｂから供給部２１ａに原稿を移動させる動作をするごとに、用紙Ｐの排紙トレイ８４に排出される位置を用紙搬送方向に対して左右にずらすようにしてもよい。このようにすることによって、供給部２１ａ、待機部２１ｂおよび２１ｄのいずれに載置された原稿の画像が形成された用紙かを容易に区別することが可能となる。またこの場合、一連の原稿を分けて原稿載置トレイ２１上に載置したときには用紙Ｐを一連の束として排出できるように、用紙Ｐの排出する位置をずらすかどうかを操作盤で選択できるようにしてもよい。
【００４９】
また、本体１１の操作盤に制御ボタン（不図示）を設け、この制御ボタンによって区分手段２２、待機原稿移動手段２３ａおよび２３ｂを、無端ベルト２６ａおよび２６ｂの回転によって突出または収納することを可能にしてもよい。区分手段２２、待機原稿移動手段２３ａおよび２３ｂを突出させた場合は、上述した制御を行うことで、大量の原稿を連続して搬送することができる。また、収納した場合、区分された供給部２１ａまたは待機部２１ｂ、２１ｄに載置可能な原稿よりも大きいサイズの原稿を載置することができるようになる。ここで、区分手段２２だけを制御ボタンによって突出または収納することが可能としてもよい。
【００５０】
また、第２の実施形態において、待機部が２箇所の場合について説明したが、待機原稿移動手段を待機部のそれぞれに設け、待機部を３箇所以上としても構わない。
【産業上の利用可能性】
【００５１】
本発明は、画像形成装置だけでなく、画像読取装置など、原稿の画像を読み取る装置一般に取り付けられる原稿搬送装置に利用することができる。
【図面の簡単な説明】
【００５２】
【図１】第１の実施形態に係る画像形成装置の一例である複写機の概略構成図
【図２】第１の実施形態に係る原稿搬送装置の平面図
【図３】第１の実施形態の別の実施態様に係る原稿載置トレイの概略構成図
【図４】第２の実施形態に係る画像形成装置の一例である複写機の概略構成図
【図５】第２の実施形態に係る原稿搬送装置の平面図
【符号の説明】
【００５３】
１０      複写機
１２      プラテン
１２ａ    原稿読み取り部
２１      原稿載置トレイ
２１ａ    供給部
２１ｂ    待機部
２１ｄ    待機部
２２      区分手段
２３      待機原稿移動手段
２３ａ    待機原稿移動手段
２３ｂ    待機原稿移動手段
２４      原稿搬送装置
８３      用紙排出ローラ
８４      用紙排出トレイ
Ｃ      原稿
【図１】
2006245948.tif 000003
【図２】
2006245948.tif 000004
【図３】
2006245948.tif 000005
【図４】
2006245948.tif 000006
【図５】
2006245948.tif 000007